(57)【要約】【課題】商品を立体的に陳列することができ、陳列にスペースをとらないと共に、後壁部の延長部分がスタンドと蓋の両機能を持ち、商品の陳列効果が優れている陳列兼用包装箱を提供する。【解決手段】上部が開口する箱本体１ａの後壁部３の上端に、箱本体１ａの上下高さ寸法よりも長い長さを有し、先端に差込み片１０が突設された延長部６を設け、前記箱本体１ａの前部と後部下方位置に差込み片１０の差込みスリット１１、１２を設け、この延長部６が、箱本体１ａの前方下部に向けて折り曲げ、差込み片１０を前部の差込みスリット１１に挿入することにより箱本体１ａの開口を覆う蓋６ａと、後壁部３の後方下部に折り曲げて差込み片１０を後部の差込みスリット１２に挿入することにより、箱本体１ａを起立状に支えるスタンド６ｂを兼ねている。【選択図】図１
0003134248.tif 000002
【実用新案登録請求の範囲】
【請求項１】
横断面角形で上部が開口する箱本体の後壁部の上端に延長部を設け、この延長部が、箱本体の前方下部に向けて折り曲げることにより箱本体の開口を覆う蓋と、後壁部の後方下部に折り曲げることにより箱本体を起立状に支えるスタンドを兼ねている陳列兼用包装箱。
【請求項２】
上記延長部が、後壁部の上下高さ寸法よりも長い長さを有し、この延長部に、後壁部の境界に沿う折り目線と、この折り曲げ線に平行する中間折り目線と、先端側の位置に先端折り目線がそれぞれ幅方向に施され、前記延長部の先端に差込み片が突設され、前記箱本体の前部と後部下方位置に差込み片の差込みスリットを設けた請求項１に記載の陳列兼用包装箱。
【請求項３】
上記箱本体が、対向する前壁部と後壁部間の両側に側壁部と底部に底壁部を設けて形成され、この箱本体の底部が、箱本体を起立させたときに後傾させる斜壁面になっている請求項１又は２に記載の陳列兼用包装箱。
【考案の詳細な説明】
【技術分野】
【０００１】
この考案は、収納した商品を立体的に省スペースで陳列することができると共に、商品をテイクアウトするときは、商品が汚れないように保護することができる陳列兼用包装箱に関する。
【背景技術】
【０００２】
ファーストフードや各種店舗において販売する食品や惣菜等の商品は、顧客の購買意欲を高めて販売促進に結びつけるために、その商品を陳列して目につきやすくし、また、中身のボリューム感を出すのが好ましいと共に、商品のテイクアウト時には商品が汚れないように包装する必要がある。
【０００３】
従来、包装箱に収納して販売するような商品を陳列するには、単に箱に入ったままの状態で並べるか、一旦箱から商品を取出してこれを陳列し、商品の購入時に再度箱に入れて手渡すという手法が採られている。
【０００４】
上記のような陳列と販売の形態では、箱に対して商品の出し入れ操作に手間がかかり面倒であるため、四角い箱本体の上面開口を蓋で開閉できる構造となり、この蓋を開いて商品が見えるようにした状態で商品を陳列し、商品の購入時に蓋を閉じて手渡すようにできる陳列兼用包装箱が提案されている（例えば、特許文献１参照）。
【特許文献１】特開平９−４８４２５号公報
【考案の開示】
【考案が解決しようとする課題】
【０００５】
ところで、上記のような陳列兼用包装箱は、単に蓋を開いて商品の一部を上面開口から見えるようにするだけであるので、平面的に変化のない状態で商品を陳列することになり、陳列に広いスペースをとることになる。
【０００６】
また、箱に入った商品を平面的に陳列するので、商品を陳列した状態で立体感に乏しく、商品の陳列効果が低いという問題がある。
【０００７】
そこで、この考案の課題は、商品を立体的に陳列することができ、陳列にスペースをとらないと共に、後壁部の延長部分がスタンドと蓋の両機能を持ち、商品の陳列効果が優れている陳列兼用包装箱を提供することにある。
【課題を解決するための手段】
【０００８】
上記の課題を解決するため、この考案は、横断面角形で上部が開口する箱本体の後壁部の上端に延長部を設け、この延長部が、箱本体の前方下部に向けて折り曲げることにより箱本体の開口を覆う蓋と、後壁部の後方下部に折り曲げることにより箱本体を起立状に支えるスタンドを兼ねている構成を採用したものである。
【０００９】
上記延長部が、後壁部の上下高さ寸法よりも長い長さを有し、この延長部に、後壁部の境界に沿う折り目線と、この折り曲げ線に平行する中間折り目線と、先端側の位置に先端折り目線がそれぞれ幅方向に施され、前記延長部の先端に差込み片が突設され、前記箱本体の前部と後部下方位置に差込み片の差込みスリットを設けた構造とすることができる。
【００１０】
また、上記箱本体が、対向する前壁部と後壁部間の両側に側壁部と底部に底壁部を設けて形成され、この箱本体の底部が、箱本体を起立させたときに後傾させる斜壁面になっている構造としてもよい。
【００１１】
ここで、箱本体は、内面に食品安全衛生のために食材対応コートを施した厚紙やダンボール紙、耐油紙、特殊紙等を用いて対象となる商品が納まる大きさに形成され、前壁部の上端が弧状に凹入し、両側壁部の上端が弧状となって前壁部の両側に突出するデザインとなり、上記差込みスリットは、前壁部の上部と底壁とに設けられている。
【００１２】
また、上記延長部は、先端部が円弧状のデザインとなり、この延長部に設けた各折り目線は、延長部を順次内折りしてスタンドになるように施されている。
【考案の効果】
【００１３】
この考案によると、箱本体の後壁部の上端に設けた延長部が、箱本体の前方下部に向けて折り曲げることにより箱本体の開口を覆う蓋と、後壁部の後方下部に折り曲げることにより箱本体を起立状に支えるスタンドを兼ねているので、延長部を後方下部に折り曲げてスタンドとすることにより、箱本体は開口が開放された状態で起立状に保持され、従って、箱本体内に商品を入れて起立させれば、上端開口から商品の一部が見える状態で商品を立体的に陳列することができ、陳列効果の向上が図れることになる。
【００１４】
また、箱本体を起立させることにより、商品を立体的に陳列することができ、陳列にスペースをとらないと共に、起立した箱本体が後傾状態となるようにすれば、前方からの商品の視認が容易となり、商品が目に付きやすい陳列が可能になる。
【００１５】
更に、商品のテイクアウト時は、延長部を前方に折り曲げて蓋とすることにより、商品の上部を覆った状態で箱本体の開口を閉じることができ、商品が汚れないように包装できるので衛生的である。
【考案を実施するための最良の形態】
【００１６】
以下、この考案の実施の形態を図示例に基づいて説明する。
【００１７】
図示のように、陳列兼用包装箱１は、対向する前壁部２と後壁部３間の両側に側壁部４、４と底部に底壁部５を設け、横断面角形で上部が開口するよう組み立てた箱本体１ａと、この箱本体１ａの後壁部３の上端に設けた延長部６とで形成されている。
【００１８】
この延長部６は、箱本体１ａの前方下部に向けて折り曲げることにより箱本体１ａの開口を覆う蓋６ａと、後壁部３の後方下部に折り曲げることにより箱本体１ａを起立状に支えるスタンド６ｂを兼ねている。
【００１９】
上記箱本体１ａと延長部６は、内面に食品安全衛生のために食材対応コートを施した厚紙やダンボール紙、耐油紙、特殊紙等を用い、外面はＰＲ効果を狙う印刷を施し、箱本体１ａは収納せんとする商品Ａに合わせて大きさを設定すればよく、図示の場合、箱本体１ａは、前壁部２の上端が弧状に凹入し、両側壁部４、４の上端が弧状となって前壁部２の両側に突出するデザインになっている。
【００２０】
上記延長部６は、後壁部３と等しい幅で箱本体１ａの高さ寸法よりも長い長さで先端が円弧状となり、この延長部６には、後壁部３の境界に沿う折り目線７と、この折り目線７に平行する中間折り目線８と、先端側の位置に先端折り目線９がそれぞれ幅方向に施され、各折り目線７、８、９は、延長部６を順次内折りにしてスタンド６ｂにするためのものである。
【００２１】
上記延長部６の先端に差込み片１０が突設され、前記箱本体１ａの前壁部２で上部寄の位置と、後壁部３の下方位置に差込み片１０の差込みスリット１１と１２が設けられている。
【００２２】
また、両側壁部４、４の下縁を後方上がりの傾斜縁とすることで、上記箱本体１ａの底部は箱本体１ａを起立させたときに少し後傾させる斜壁面に形成され、上記底壁部５は前壁部２の下縁から連なり、その先端に後壁部３の内面に重なるよう挿入する差込み片１３が設けられ、後壁部３の下方位置の差込みスリット１２は、この底壁部５と差込み片１３の境界位置に設けられている。
【００２３】
この考案の陳列兼用包装箱は、上記のような構成であり、前壁部２と後壁部３、側壁部４、４、底壁部５によって、横断面角形で上部が開口する箱本体１ａを組立て、ファーストフードや各種店舗において販売する食品や惣菜等の商品Ａを陳列する場合は、図１（ｂ）と図２のように、延長部６を各折り目線７、８、９の部分で順次内折りにし、先端の差込み片１０を後壁部３の下方位置の差込みスリット１２に挿入すれば、この延長部６の先端と先端折り目線９の間が底壁部５の延長状となり、延長部６は起立させた箱本体１ａを後部で支えるスタンド６ｂになる。
【００２４】
図３のように、上記のようにして起立させた箱本体１ａは、上部開口が開放しているので、その内部に収納した商品Ａの一部が見えることになり、商品Ａを起立させて立体的に陳列することにより、陳列にスペースをとらないと共に、起立した箱本体１ａは少し後傾状態となっているので、前方からの商品Ａの視認が容易となり、商品Ａが目に付きやすい陳列が可能になる。
【００２５】
次に、箱本体１ａ内に収納したし商品Ａをテイクアウトするときは、延長部６の差込み片１０を差込みスリット１２から抜き取り、図１（ａ）のように、この延長部６を商品Ａの上部を覆うように箱本体１ａの前方下部に向けて湾曲させ、先端の差込み片１０を前壁部２の差込みスリット１１に挿入すれば、この延長部６が蓋６ａとなり、商品Ａを覆って汚れないように保護することができ、食品である商品Ａのテイクアウトが衛生的に行えることになる。
【図面の簡単な説明】
【００２６】
【図１】（ａ）は陳列兼用包装箱の商品テイクアウト時の状態を示す斜視図、（ｂ）は同じく商品陳列時の状態を示す斜視図
【図２】陳列兼用包装箱の商品陳列時の状態を示す側面図
【図３】陳列兼用包装箱の商品陳列時の状態を示す斜視図
【図４】陳列兼用包装箱の展開図
【符号の説明】
【００２７】
１        陳列兼用包装箱
１ａ      箱本体
２        前壁部
３        後壁部
４        側壁部
５        底壁部
６        延長部
６ａ      蓋
６ｂ      スタンド
７        折り目線
８        中間折り目線
９        先端折り目線
１０      差込み片
１１      差込みスリット
１２      差込みスリット
【図１】
0003134248.tif 000003
【図２】
0003134248.tif 000004
【図３】
0003134248.tif 000005
【図４】
0003134248.tif 000006